【手続補正書】
【提出日】平成17年3月30日(2005.3.30)
【手続補正１】
【補正対象書類名】明細書
【補正対象項目名】全文
【補正方法】変更
【補正の内容】
【書類名】      明細書
【発明の名称】  縦続多重化方式およびその多重化装置
【特許請求の範囲】
【請求項１】  それぞれの区域ごとに配置されて収容した複数の端末からのデータを多重化する複数の第１の多重化装置と、該第１の多重化装置からの多重化データをさらに所定の伝送路に多重化する第２の多重化装置とを用意し、
前記第１の多重化装置は、収容した端末からのデータを端末が接続されていない空きデータ領域とともに所定のフレームに多重化し、
前記第２の多重化装置は、前記第１の多重化装置により多重化したフレームをさらに前記伝送路でのフレームに多重化する際に、前記第１の多重化装置に端末が接続されていない空きデータに相当するデータ領域を取り除いて多重化することを特徴とする縦続多重化方式。
【請求項２】  それぞれの区域毎に配置された複数の端末からのデータを所定の伝送容量の伝送路に多重化して伝送する多重化方式において、
それぞれの区域毎にその区域の端末を収容する第１の多重化装置と、該第１の多重化装置からの多重化信号をさらに前記伝送路に多重化して伝送する第２の多重化装置とを用意し、
前記第１の多重化装置と第２の多重化装置との間に、それぞれの区域に配置された端末からのデータ帯域以上の伝送容量を有する伝送線をそれぞれ接続しておき、
前記第１の多重化装置は、その区域の端末からのデータを端末が接続されていない空きデータとともに前記伝送線により伝送する多重化信号の所定の位置に割り付けて多重化して、該多重化信号を前記伝送線を介して前記第２の多重化装置に伝送し、
前記第２の多重化装置は、それぞれの区域の第１の多重化装置から多重化信号を受けて、該多重化信号の中から空きデータを除くそれぞれの端末に対応するデータを選択して、これら選択したデータを前記伝送路により伝送する多重化信号の所定の位置にそれぞれ割り付けて多重化することを特徴とする縦続多重化方式。
【請求項３】  請求項２に記載の縦続多重化方式において、前記第２の多重化装置は、前記第１の多重化装置からの多重化信号のそれぞれの端末のデータ位置をあらかじめ記憶した記憶手段を含み、前記第１の多重化装置に新たに端末が増減された際に、前記第２の多重化装置の記憶手段の内容を書き替えて、その書き替えた記憶手段の内容に基づいてそれぞれの端末からのデータを前記伝送路の多重化信号の所定の位置に割り付けることを特徴とする縦続多重化方式。
【請求項４】  それぞれの区域毎に配置された複数の端末からのデータをそれぞれ多重化した多重化信号をさらに所定の伝送容量の伝送路に多重化する多重化装置において、
それぞれ多重化された多重化信号を入力して前記伝送路により伝送可能な速度に変換する入力変換手段と、
該入力変換手段によって変換されたそれぞれの多重化信号からそれぞれのデータを選択する選択手段と、
該選択手段によって選択したデータを一時蓄積するデータ記憶手段と、
前記選択手段および前記データ記憶手段を制御する制御手段であって、入力した多重化信号のうち端末が接続されていない空きデータを除くそれぞれの端末に対応するデータを抽出させて、これらデータを専用線により伝送する多重化信号の任意の位置にそれぞれ割り付ける制御手段とを含むことを特徴とする多重化装置。
【請求項５】  請求項４に記載の多重化装置において、前記制御手段は、入力した多重化信号に割り付けられた端末に対応するデータ位置があらかじめ記憶されたデータ位置記憶手段と、該データ位置記憶手段の記憶内容に基づいて前記選択手段を制御して、入力した多重化信号から端末に対応するデータを選択させる選択制御手段と、該選択制御手段の制御に応動して前記データ記憶手段に前記選択手段からのデータを書き込む書込み制御手段と、専用線により伝送する多重化信号の速度に応動して前記データ記憶手段に記憶されたデータを順次読み出す読出し制御手段とを含むことを特徴とする多重化装置。
【請求項６】  請求項５に記載の多重化装置において、前記データ位置記憶手段は、その記憶内容を書き替え自在に記憶することを特徴とする多重化装置。
【発明の詳細な説明】
【０００１】
【発明の属する技術分野】
本発明は、縦続多重化方式およびその多重化装置に係り、特に、たとえば企業内の複数の区域にそれぞれ複数の端末を配置する際に用いて好適な縦続多重化方式および多重化装置に関するものである。
【０００２】
【従来の技術】
たとえば、企業等においては、ある地域に配置された複数の端末からのデータを他の地域に伝送する場合、これらデータを所定の伝送容量を有する専用線に多重化して伝送している。この場合、たとえば６．３Mbpsのデータ帯域の高速ディジタル専用線などでは、６４kbpsの伝送速度を有する端末からのデータを９６回線分収容することができる。つまり、その地域には、最大９６回線分の端末を配置することができる。
【０００３】
従来、上記のような複数の端末がその地域においてさらに複数の区域に分散して配置されている場合、これらを専用線に多重化する方式として、たとえば複数の時分割多重化装置（ＴＤＭ）を用いたものが知られている。すなわち、それぞれ複数台の端末を収容する複数の端末多重化装置と、これら端末多重化装置により多重化したデータをさらに専用線に多重化する専用線多重化装置とを用意する。これら多重化装置は、たとえば、共通の伝送速度を有する複数の低速データ入力と、これらからのデータをそれぞれ８ビットのタイムスロット毎に順次選択して出力する多入力１出力のセレクタと、セレクタからのデータが順次書き込まれてその入力順に多重化されたデータが高速に読み出されるデータメモリとを含む。たとえば、６．３Mbpsの専用線を用いた場合、専用線多重化装置は、高速側に６．３Mbpsの専用線を収容し、低速側にたとえば６．３Mbpsを４分割した１．５Mbpsの伝送線を４本収容する。専用線多重化装置からの１．５Mbpsの伝送線は、それぞれ端末多重化装置の高速側に接続される。端末多重化装置は、低速側に最寄りの区域の端末をそれぞれ２４台まで収容する。
【０００４】
これにより、それぞれの端末多重化装置では、収容したそれぞれの端末からのデータを時分割して２４タイムスロットのフレームの所定の位置にそれぞれ割り付けて、そのフレームを１．５Mbpsの伝送線を介して専用線多重化装置にそれぞれ伝送する。専用線多重化装置では、それぞれの端末多重化装置からの伝送フレームを順次時分割して９６タイムスロットのフレームにそれぞれ割り付けて、そのフレームを専用線を介して他の地域に伝送する。この結果、それぞれの区域に配置された端末からのデータが専用線に多重化されて伝送される。
【０００５】
【発明が解決しようとする課題】
しかしながら、上述した従来の技術では、専用線多重化装置の低速側を専用線の伝送容量をｎ分割した共通の伝送容量としなければならないので、たとえば上記例では、６．３Mbpsを４分割した１．５Mbpsの伝送容量となる。このため、その伝送線を収容する端末多重化装置の台数およびその端末収容数が限定されて、それぞれの区域に対する端末多重化装置の配置個所および端末多重化装置と端末の配線が難しくなるなどの問題があった。たとえば、端末を配置する区域数が多い場合、また、それぞれの区域に必要とする端末数がそれぞれ大きく異なる場合などには、端末多重化装置を適切な場所に設置しなければ、端末からの配線が困難になったり、その配線が長くなるなどの問題が生じてくる。特に、後にそれぞれの区域での端末数を増減する場合などには、さらに配線が困難になり、端末多重化装置を移動させなければならないなどの問題が生じていた。
【０００６】
そこで、本願発明者は、それぞれの区域に、その区域の端末数以上の端末を収容可能な端末多重化装置を配置して、端末が接続されていない空きスロットのデータを含むデータを所定のフレームに多重化して専用線多重化装置に送り、専用線多重化装置においてそれぞれのフレームから端末に対応するデータのみを選択して、専用線の伝送フレームに並べ替えて伝送する方式を案出した。この場合、専用線多重化装置では、空きスロットのデータを含むそれぞれの時分割データをデータメモリに蓄積して、そのなかから必要なデータのみを読み出して多重化することが考えられる。しかし、この場合、専用線に多重化するデータ容量以上のデータが送られてくるので、データメモリの記憶容量を大きくしなければならないという欠点があった。
【０００７】
本発明は、上記のような課題に鑑みてなされたものであり、複数の区域において端末を自在に配置することができ、さらに、それらの増減を自在に行なうことができる縦続多重化方式を提供することを目的とする。その際、さらにデータメモリの記憶容量を少なくすることができる専用線多重化装置を提供することを目的とする。
【０００８】
【課題を解決するための手段】
本発明による縦続多重化方式は上述の課題を解決するために、それぞれの区域ごとに配置されて収容した複数の端末（ＴＥ）からのデータを多重化する複数の第１の多重化装置（１０Ａ〜１０Ｈ）と、該第１の多重化装置からの多重化データをさらに所定の伝送路に多重化する第２の多重化装置（２０）とを用意し、第１の多重化装置は、収容した端末からのデータを端末が接続されていない空きデータ領域とともに所定のフレームに多重化し、第２の多重化装置（２０）は、第１の多重化装置により多重化したフレームをさらに前記伝送路でのフレームに多重化する際に、第１の多重化装置に端末が接続されていない空きデータに相当するデータ領域を取り除いて多重化することを特徴とする。
【０００９】
また、本発明の縦続多重化方式は、それぞれの区域毎に配置された複数の端末（ＴＥ）からのデータを所定の伝送容量の伝送路（１００）に多重化して伝送する多重化方式において、それぞれの区域毎にその区域の端末を収容する第１の多重化装置（１０Ａ〜１０Ｈ）と、第１の多重化装置からの多重化信号をさらに伝送路に多重化して伝送する第２の多重化装置（２０）とを用意し、第１の多重化装置と第２の多重化装置との間に、それぞれの区域に配置された端末からのデータ帯域以上の伝送容量を有する伝送線（１２Ａ〜１２Ｈ）をそれぞれ接続しておき、第１の多重化装置は、その区域の端末からのデータを端末が接続されていない空きデータとともに伝送線により伝送する多重化信号の所定の位置に割り付けて多重化して、その多重化信号を伝送線を介して第２の多重化装置に伝送し、第２の多重化装置は、それぞれの区域の第１の多重化装置から多重化信号を受けて、それぞれの多重化信号の中から空きデータを除くそれぞれの端末に対応するデータを選択して、その選択したデータを伝送路により伝送する所定の多重化信号の所定の位置に割り付けて多重化することを特徴とする。
【００１０】
この場合、第２の多重化装置（２０）は、第１の多重化装置（１０Ａ〜１０Ｈ）からの多重化信号のそれぞれの端末に対応するデータ位置をあらかじめ記憶した記憶手段（２３２）を含み、第１の多重化装置に新たに端末が増減された際に、第２の多重化装置の記憶手段の内容を書き替えて、その書き替えた記憶手段の内容に基づいてそれぞれの端末からのデータを伝送路の多重化信号の所定の位置に割り付けるとよい。
【００１１】
一方、本発明による専用線多重化装置は、それぞれの区域毎に配置された複数の端末（ＴＥ）からのデータをそれぞれ多重化した多重化信号をさらに所定の伝送容量の伝送路（１００）に多重化する多重化装置において、それぞれ多重化された多重化信号を入力して伝送路により伝送可能な速度に変換する入力変換手段（２０２）と、入力変換手段によって変換されたそれぞれの多重化信号からそれぞれのデータを選択する選択手段（２０４）と、選択手段によって選択したデータを一時蓄積するデータ記憶手段（２０８）と、選択手段およびデータ記憶手段を制御する制御手段であって、入力した多重化信号のうち端末が接続されていない空きデータを除くそれぞれの端末からのデータを抽出させて、これらデータを伝送路により伝送する多重化信号の任意の位置にそれぞれ割り付ける制御手段（２１０）とを含むことを特徴とする。
【００１２】
より有利には、制御手段は、入力した多重化信号に割り付けられた端末に対応するデータ位置があらかじめ記憶されたデータ位置記憶手段（２３２）と、データ位置記憶手段の記憶内容に基づいて選択手段を制御して、入力した多重化信号から端末に対応するデータをそれぞれ選択させる選択制御手段（２３４）と、選択制御手段の制御に応動してデータ記憶手段に選択手段からのデータを書き込む書込み制御手段（２３６）と、伝送路により伝送する多重化信号の速度に応動してデータ記憶手段に記憶されたデータを順次読み出す読出し制御手段（２３８）とを含むとよい。
【００１３】
この場合、データ位置記憶手段は、その記憶内容を書き替え自在に記憶すると有利である。
【００１４】
【発明の実施の形態】
次に、添付図面を参照して本発明による縦続多重化方式およびその多重化装置の実施の形態を詳細に説明する。図２および図１には、本発明による縦続多重化方式およびその多重化装置の一実施形態が示されている。本実施形態による縦続多重化方式は、図２に示すように、たとえば企業内の複数の区域Ａ〜Ｈにそれぞれ配置された複数の端末ＴＥからのデータを専用線１００に多重化して他の地域に伝送する専用線多重化方式であり、本実施形態では、それぞれの区域Ａ〜Ｈにおいて端末ＴＥからのデータを端末多重化装置１０Ａ〜１０Ｈによりそれぞれ時分割多重化して、さらに端末多重化装置１０Ａ〜１０Ｈを介して供給されるそれぞれの端末ＴＥからのデータを本実施形態特有の専用線多重化装置２０によって専用線１００に多重化するデータ多重方式である。
【００１５】
特に、本実施形態では、それぞれの区域Ａ〜Ｈにおいてその区域の端末数以上の端末ＴＥを収容可能な端末多重化装置１０Ａ〜１０Ｈをそれぞれ配置し、それらからの伝送線１２Ａ〜１２Ｈを専用線多重化装置２０の低速側に収容し、伝送線１２Ａ〜１２Ｈを介して伝送される空きスロットのデータを含むフレームからそれぞれの端末ＴＥに対応するデータを専用線多重化装置２０により選択して、それらデータを専用線１００により伝送するフレームに割り付けて多重化する点が主な特徴点である。
【００１６】
より具体的には、本実施形態では、図２に示すように、たとえば８つの区域Ａ〜Ｈに、それぞれ所定の端末ＴＥが所望の台数づつ配置されている。たとえば、区域Ａに１０台、区域Ｂに３台、区域Ｃに３４台、区域Ｄに３台、区域Ｅに５台、区域Ｆに２５台、区域Ｇに４台、区域Ｈに５台づつ合計８９台の端末ＴＥが配置されている。それぞれの端末ＴＥは、６４kbpsのデータ伝送容量を基本とするたとえばデータ端末であり、本実施形態では、全端末数は、６．３Mbpsの専用線１００の伝送フレームに収容可能な９６台以下の端末数となる。もちろん、全端末数が９６台以下であれば、それぞれの区域の端末数は任意の数でよい。それぞれの区域Ａ〜Ｈに配置された端末ＴＥは、それぞれ端末多重化装置１０Ａ〜１０Ｈに収容される。
【００１７】
端末多重化装置１０Ａ〜１０Ｈは、複数の端末ＴＥからのデータを時分割多重して伝送するそれぞれ周知の時分割多重化装置であり、本実施形態では、それぞれの区域Ａ〜Ｈの所定の個所に設置されて、その区域に配置された端末数以上の端末ＴＥを収容可能なそれぞれ多重化装置である。より具体的には、たとえば区域Ａの端末多重化装置１０Ａは、２４台の端末を収容可能なそれぞれ低速側入力を有し、その区域Ａに配置された１０台の端末ＴＥが任意の入力にそれぞれ接続されている。その高速側には、端末が接続されていない空きデータを含む２４台分のデータが時分割多重された２４タイムスロットのフレームを伝送する１．５Mbpsの伝送容量を有する伝送線１２Ａが接続されている。
【００１８】
同様に、区域Ｂ，Ｄ，Ｅ，Ｇ，Ｈには、区域Ａの端末多重化装置１０Ａと同様な２４台の端末収容可能な時分割多重化装置１０Ｂ，１０Ｄ，１０Ｅ，１０Ｇ，１０Ｈがそれぞれ設置されて、その区域の端末ＴＥを低速側入力にそれぞれ収容し、高速側に１．５Mbpsの伝送線１２Ｂ，１２Ｄ，１２Ｅ，１２Ｇ，１２Ｈがそれぞれ接続されている。一方、区域Ｃの端末多重化装置１０Ｃは、９６台の端末を収容可能な時分割多重化装置であり、低速側に３４台の端末ＴＥを収容して、高速側に６．３Mbpsの伝送線１２Ｃが接続されている。また、区域Ｆの端末多重化装置１０Ｆは、３２台の端末を収容可能な時分割多重化装置であり、低速側に２５台の端末ＴＥを収容して、高速側に２．０Mbpsの伝送線１２Ｆが接続されている。それぞれの端末多重化装置１０Ａ〜１０Ｈに収容された伝送線１２Ａ〜１２Ｈは、それぞれ専用線多重化装置２０の低速側入力に接続されている。
【００１９】
本実施形態による専用線多重化装置２０は、端末多重化装置１０Ａ〜１０Ｈを介して伝送されるそれぞれの区域Ａ〜Ｈの端末ＴＥからのデータを専用線１００に多重化して伝送する多重化装置であり、本実施形態では、それぞれ低速側入力に接続された伝送線１２Ａ〜１２Ｈからのフレームのうちそれぞれの端末ＴＥに対応するスロットのデータを選択して、専用線１００により伝送するフレームにそれぞれ割り付ける多重化装置である。より具体的には、本実施形態による専用線多重化装置２０は、たとえば図１に示すように、入力変換部２０２と、セレクタ回路２０４と、データメモリ２０８と、制御部２１０と、出力変換部２１４とを含む。入力変換部２０２は、低速側入力にそれぞれ接続された伝送線１２Ａ〜１２Ｈからのフレーム速度をそれぞれ高速側のフレームと同様の速度に変換する変換手段であり、本実施形態では、複数の速度変換回路２１２Ａ〜２１２Ｈと、複数のシリアル−パラレル変換回路（Ｓ／Ｐ）２２２Ａ〜２２２Ｈとを含む。速度変換回路２１２Ａ〜２１２Ｈは、それぞれ所定の速度によりビットシリアルに入力するフレームを順次蓄積して高速に読み出す入力バッファであり、読み出されたデータは対応のシリアル−パラレル変換回路２２２Ａ〜２２２Ｈに順次供給される。シリアル−パラレル変換回路２２２Ａ〜２２２Ｈは、速度変換回路２１２Ａ〜２１２Ｈからのシリアルデータを８ビットパラレルに変換する変換回路であり、変換したパラレルデータをセレクタ回路２０４に順次供給する。
【００２０】
セレクタ回路２０４は、制御部２１０の制御の下に、入力変換部２０２を介して入力するそれぞれのフレームのタイムスロットのうち端末ＴＥに対応するスロットのデータを選択する選択回路であり、本実施形態では、入力変換部２０２のそれぞれのシリアル−パラレル変換回路２２２Ａ〜２２２Ｈからのパラレルデータを選択的に入力してデータメモリ２０８に供給する多入力１出力のセレクタである。データメモリ２０８は、セレクタ回路２０４からのデータを順次蓄積して専用線１００により伝送する９６タイムスロットぶんのフレームを形成する出力バッファ回路であり、本実施形態では、２フレーム分のバッファ領域が用意されてそれぞれ制御部２１０の制御の下に書込みおよび読出しに応じて交互に切り替えられる。たとえば、そのメモリマップが図４に示されている。形成されたフレームは、タイムスロット毎に順次８ビットパラレルに読み出されて出力変換部２１４を介して専用線１００に送出される。出力変換部２１４は、８ビットパラレルのデータをビットパラレルに変換するパラレル−シリアル変換回路（Ｐ／Ｓ）を含む。
【００２１】
一方、制御部２１０は、セレクタ回路２０４の選択制御ならびにデータメモリ２０８の書込み制御および読出し制御をそれぞれ司る制御回路であり、本実施形態では、データイネーブルメモリ２３２と、データカウント制御回路２３４と、ライトアドレスメモリ２３６と、リードアドレスカウンタ２３８と、主制御回路（ＣＰＵ）２４０とを含む。データイネーブルメモリ２３２は、セレクタ回路２０４において選択するスロットの順序があらかじめ記憶された記憶回路であり、本実施形態では、たとえば図３に示すように、低速側のフレームの第１タイムスロットＴＳ１から順次空きスロットを除く選択するチャネルの番号を表わす情報を記憶している。たとえば、第１タイムスロットＴＳ１では、チャネルＣＨ７のスロットを除くチャネルＣＨ１からチャネルＣＨ８までの番号を順次記憶し、第２タイムスロットでは第１のタイムスロットＴＳ１と同様のチャネルの番号をその順序で記憶し、第３タイムスロットではチャネルＣＨ３，５，８を除くチャネルＣＨ１からチャネルＣＨ７までを順次記憶し、以下同様に第４タイムスロットＴＳ４から第９６タイムスロットＴＳ９６まで、それぞれ空きスロットを除く順次選択するチャネルの番号を記憶している。その記憶内容は、それぞれの区域Ａ〜Ｇにおいて端末ＴＥの増減があった際に、主制御回路２４０を介して書換可能となっている。データイネーブルメモリ２３２からの選択順序を表わす情報は、データカウント制御回路２３４に供給される。
【００２２】
データカウント制御回路２３４は、データイネーブルメモリ２３２からの情報に基づいてセレクタ回路２０４にいずれのデータを選択するかを表わす選択信号を供給するセレクタ制御回路であり、本実施形態では、セレクタ回路２０４にそれぞれのタイムスロット毎に選択信号を供給した際にこれに応動するタイミング信号をライトアドレスメモリ２３６に供給する。ちなみに、選択されないスロットのデータは、セレクタ回路２０４において破棄される。ライトアドレスメモリ２３６は、データメモリ２０８に書込みアドレスを供給する書込み制御回路であり、本実施形態では、ライトクロックに応動して順次アドレスを更新し、データカウント制御回路２３４からのタイミング信号に応動してその書込みアドレスをデータメモリ２０８に供給する。リードアドレスカウンタ２３８は、データメモリ２０８に読出しアドレスを供給する読出し制御回路であり、本実施形態では、専用線１００の伝送速度６．３Mbpsに応動したリードクロックに基づいて順次更新した読出しアドレスをデータメモリ２０８に供給する。
【００２３】
上記のような構成において、まず、それぞれの区域Ａ〜Ｈでは、それぞれの端末ＴＥからのデータが端末多重化装置１０Ａ〜１０Ｈにより時分割されてそれぞれのフレームに割り付けられる。たとえば、区域Ａでは、図３に示すように、１フレーム当たり２４タイムスロットのフレームに、第１の端末ＴＥからのデータがその接続されたチャネルＣＨ１−１となる第１タイムスロットＴＳ１に割り付けられ、第２の端末ＴＥからのデータがチャネルＣＨ１−２となる第２タイムスロットＴＳ２に割り付けられ、以下第３〜第１０の端末ＴＥからのデータがそれぞれ接続された位置に相当するタイムスロットにそれぞれ割り付けられる。この際、端末が接続されていないタイムスロットは、空きデータとして割り付けられる。それぞれのデータが割り付けられたフレームは、伝送線１２Ａを介して専用線多重化装置２０に第１のチャネルＣＨ１として伝送される。同様に、区域Ｂでは、３台の端末ＴＥからのデータが２４タイムスロットのフレームにそれぞれ割り付けられて伝送線１２Ｂを介して第２のチャネルＣＨ２として専用線多重化装置２０に伝送される。
【００２４】
同様に、区域Ｃでは、３４台の端末ＴＥからのデータが９６タイムスロットのフレームにそれぞれ割り付けられて伝送線１２Ｃを介して第３のチャネルＣＨ３として専用線多重化装置２０に伝送される。以下同様に、区域Ｄ，Ｅ，Ｇ，Ｈでは、それぞれ２４タイムスロットのフレームにそれぞれの端末ＴＥからのデータが割り付けられて、それぞれの伝送線１２Ｄ，１２Ｅ，１２Ｇ，１２Ｈを介して第４、第５、第７、第８のチャネルＣＨ４，ＣＨ５，ＣＨ７，ＣＨ８として専用線多重化装置２０にそれぞれ伝送される。また、区域Ｆでは、３２タイムスロットのフレームに２５台の端末ＴＥからのデータがそれぞれ割り付けられて、その伝送線１２Ｆを介して第６のチャネルＣＨ６として専用線多重化装置２０に伝送される。
【００２５】
次に、それぞれの伝送線１２Ａ〜１２ＨからそれぞれのチャネルＣＨ１〜ＣＨ８のフレームを受けた専用線多重化装置２０は、入力変換部２０２によりそれぞれ速度変換して、それぞれのタイムスロットを順次パラレルに変換する。８ビットパラレルに変換されたデータは、セレクタ回路２０４により第１タイムスロットＴＳ１から順次端末ＴＥに対応するチャネルのデータが選択されてデータメモリ２０８に蓄積される。たとえば、第１タイムスロットＴＳ１ではチャネルＣＨ７の空きデータを除くチャネルＣＨ１からチャネルＣＨ８までのデータが順次選択されて、データメモリ２０８に蓄積される。次いで、第２タイムスロットＴＳ２のそれぞれのチャネルの端末ＴＥに対応するデータが選択されてデータメモリ２０８に順次蓄積され、以降、第３〜第２４のタイムスロットのそれぞれのチャネルの端末ＴＥに対応するデータが選択されてデータメモリ２０８にそれぞれ蓄積される。さらに、第２５タイムスロットＴＳ２５以降では、第３２タイムスロットＴＳ３２までチャネルＣＨ３とチャネルＣＨ６に端末ＴＥに対応するデータがあれば、それぞれ選択され、第３３タイムスロット以降では第９６タイムスロットＴＳまでチャネルＣＨ３の端末ＴＥに対応するデータがそれぞれ選択されてデータメモリ２０８に蓄積される。
【００２６】
これにより、それぞれのチャネルＣＨ１〜ＣＨ８の端末ＴＥに対応するデータが選択されて、データメモリ２０８に蓄積されると、その蓄積順にデータが読み出されて、たとえば図５に示すように専用線１００により伝送する９６タイムスロットのフレームが形成される。データメモリ２０８から読み出されたフレームは、出力変換部２１４を介してビットシリアルに変換されて専用線１００に送出され、他の地域に伝送される。
【００２７】
以下同様に、それぞれの区域Ａ〜Ｈにおいて、それぞれの端末ＴＥからのデータが端末多重化装置１０Ａ〜１０Ｈにより所定のフレームのタイムスロットに割り付けられて、それぞれ伝送線１２Ａ〜１２Ｈを介して専用線多重化装置２０に伝送されると、専用線多重化装置２０ではそれぞれのフレームから端末ＴＥに対応するデータを選択してデータメモリ２０８に一時蓄積して専用線１００により伝送するフレームを形成し、これを読み出して専用線１００から他の地域に向けて伝送する。
【００２８】
以上のように本実施形態の縦続多重化方式およびその多重化装置によれば、専用線多重化装置２０によってその低速側のそれぞれのフレームから端末ＴＥに対応するデータのみを選択して、これらを専用線１００により伝送するフレームに割り付けて多重化するので、低速側に接続される伝送線１２（１２Ａ〜１２Ｈ）により伝送されるフレームに端末が接続されない空きスロットが含まれる場合であっても、それらを除いて必要なデータのみを専用線１００に多重化することができる。これにより、専用線多重化装置２０の低速側に接続される伝送線１２のそれぞれのデータ帯域を任意のものにすることができ、また、その線数も任意の数でよい。したがって、端末ＴＥを配置する区域が多い場合であっても、それぞれの区域に、伝送線１２を布設して、端末多重化装置１０をそれぞれ設置することができる。この場合、それぞれの区域に配置される端末数が大きく異なる場合であっても、端末多重化装置１０をその区域の端末数に応じた多重化数とすることができる。この結果、複数の区域に、専用線（１００）のデータ帯域を越えない範囲であれば、それぞれ任意の数の端末を自在に配置することができる。
【００２９】
また、専用線多重化装置２０のデータイネーブルメモリ２３２およびライトアドレスメモリ２３６の記憶内容を書換可能としたので、専用線（１００）のデータ帯域を越えない範囲であって伝送線１２のデータ帯域を越えない範囲であれば、それぞれの装置を設置した後であっても、端末多重化装置１０に収容する端末数を任意に増減することができる。
【００３０】
次に、図６には、上記実施形態による専用線多重化装置に対する比較例が示されている。この図において上記実施形態と異なる点は、制御部３００として、セレクタ回路２０４に選択タイミングを表わすタイミング信号を供給し、これに応動してデータメモリ２０８に書込みアドレスを供給するライトアドレスカウンタ３０２と、データメモリ２０８に蓄積したデータのうち端末ＴＥに対応するデータが格納されたアドレスを指定する読出しアドレスがあらかじめ記憶されたリードアドレスメモリ３０４と、その読出しアドレスをデータメモリ２０８に読み出すためのリードアドレスカウンタ３０６と、リードアドレスメモリ３０４の記憶内容を自在に書換可能とした主制御部３０８とを含む点である。なお、この図において上記実施形態と同様の部分には同符号を付して、その詳細な説明は省略する。
【００３１】
すなわち、この比較例においては、入力変換部２０２を介して入力するそれぞれのフレームをセレクタ回路２０４により、それぞれのチャネルＣＨ１〜ＣＨ８の空きデータを含むタイムスロットのすべてを順次選択して、データメモリ２０８に順次蓄積する。データメモリ２０８にすべてのフレームのデータが蓄積されると、タイムスロット毎にチャネルＣＨ１〜ＣＨ８のデータのうち空きデータを除く端末ＴＥに対応するデータのみを順次読み出して、専用線１００により伝送する９６タイムスロットのフレームを形成して、出力する。
【００３２】
このように図６に示す比較例では、それぞれ端末が接続されない空きスロットのデータを含むフレームから端末ＴＥに対応するデータのみを選択して専用線１００により伝送するフレームを形成することができる。しかし、上記実施形態の専用線多重化装置２０と比較してデータメモリ２０８の記憶容量を大きくしなければならない。たとえば、低速側の伝送線１２Ａ〜１２Ｈをすべて６．３Mbpsのデータ帯域とした場合、９６タイムスロットのデータを８チャネル分蓄積し、さらに書込みおよび読出しのバッファとして２フレーム必要となるので、最大９６（ＴＳ）×８（ｂｉｔ）×８（ＣＨ）×２（フレーム）＝１２kbitの記憶容量となる。上記実施形態では、データメモリ２０８に必要なデータのみを蓄積するので、伝送線１２Ａ〜１２Ｈのデータ帯域に関わりなく、９６（ＴＳ）×８（ｂｉｔ）×２（フレーム）＝１．５kbitの記憶容量でよい。したがって、上記実施形態の専用線多重化装置では、データメモリ２０８の記憶容量を増加することなく必要最少限の容量でよい。
【００３３】
なお、上記実施形態では、専用線１００として６．３Mbpsの高速ディジタル専用線を適用した場合を例に挙げて説明したが、本発明においては、そのデータ帯域はいずれの値の専用線を適用してもよい。たとえば、それぞれの区域に配置した全端末数に応じて５０Mbpsまたは１５０Mbpsなどの超高速専用線であってもよく、また、６．３Mbpsより少ないデータ帯域の専用線であってもよい。また、上記実施形態では、企業などの同一構内の複数の区域に端末ＴＥを配置する場合を例に挙げて説明したが、本発明においては、たとえば通信事業者により複数の区域に分散した加入者の加入者線を集線する場合に適用してもよい。
【００３４】
さらに、上記実施形態では、専用線多重化装置２０において、データイネーブルメモリ２３２に記憶した情報に基づいてデータカウンタ制御回路２３４からの選択信号によりセレクタ回路２０４に必要なデータのみを選択させて、そのデータをデータメモリ２０８に順次記憶させるようにしたが、たとえば、セレクタ回路２０４に空きデータを含むすべてのデータを順次選択させて、そのデータのうちデータイネーブルメモリ２３２の情報に基づいてライトアドレスメモリ２３６を制御して、必要なデータが選択された際にのみデータメモリ２０８に書込みアドレスを供給してそのデータを書き込むようにしてもよい。また、空データは不要の格納アドレスに書き込むようにしてもよい。
【００３５】
【発明の効果】
以上説明したように本発明の縦続多重化方式によれば、それぞれの区域毎に配置された複数の端末からのデータを所定の伝送容量の伝送路に多重化して伝送する多重化方式において、それぞれの区域毎にその区域の端末を収容する第１の多重化装置と、第１の多重化装置からの多重化信号をさらに伝送路に多重化して伝送する第２の多重化装置とを用意し、第１の多重化装置と第２の多重化装置との間に、それぞれの区域に配置された端末からのデータ帯域以上の伝送容量を有する伝送線をそれぞれ接続しておき、第１の多重化装置は、その区域の端末からのデータを端末が接続されていない空きデータとともに多重化信号の所定の位置に割り付けて多重化して、その多重化信号を伝送線を介して第２の多重化装置に伝送し、第２の多重化装置は、それぞれの区域の第１の多重化装置から多重化信号を受けて、その多重化信号の中から空きデータを除くそれぞれの端末のデータを選択して、これら選択したデータを伝送路により伝送する所定の多重化信号の所定の位置にそれぞれ割り付けて多重化するので、伝送路に多重化する端末数の範囲内においてそれぞれの区域毎に自在に任意の数の端末を配置することができる。
【００３６】
また、その場合、第２の多重化装置が第１の多重化装置からの多重化信号のそれぞれの端末のデータ位置をあらかじめ記憶した記憶手段を含み、第１の多重化装置に新たに端末が増減された際に、第２の多重化装置の記憶手段の内容を書き替えて、その書き替えた記憶手段の内容に基づいてそれぞれの端末からのデータを伝送路の多重化信号の所定の位置に割り付けるので、全端末数が伝送路に多重化する端末数の範囲内であって第１の多重化装置の多重数の範囲内において、それぞれの区域の端末を自在に増減することができる。
【００３７】
一方、多重化装置によれば、それぞれの区域毎に配置された複数の端末からのデータをそれぞれ多重化した多重化信号をさらに所定の伝送容量の伝送路に多重化する専用線多重化装置において、それぞれ多重化された多重化信号を入力して伝送路により伝送可能な速度に変換する入力変換手段と、入力変換手段によって変換されたそれぞれの多重化信号からそれぞれのデータを選択する選択手段と、選択手段によって選択したデータを一時蓄積するデータ記憶手段と、選択手段およびデータ記憶手段を制御して、入力した多重化信号のうち端末が接続されていない空きデータを除くそれぞれの端末からのデータを抽出して、伝送路により伝送する多重化信号の任意の位置にそれぞれ割り付ける制御手段とを含むので、上述した縦続多重化方式に有効に適用することができる。
【００３８】
また、制御手段は、入力した多重
化信号に割り付けられた端末のデータ位置があらかじめ記憶されたデータ位置記憶手段と、データ位置記憶手段の記憶内容に基づいて選択手段を制御して、入力した多重化信号から端末のデータを選択させる選択制御手段と、選択制御手段の制御に応動してデータ記憶手段に選択手段からのデータを書き込む書込み制御手段と、伝送路により伝送する多重化信号の速度に応動してデータ記憶手段に記憶されたデータを順次読み出す読出し制御手段とを含むので、データ記憶手段に余分なデータを記憶することなく、その記憶容量を必要最少限なものとすることができる。
【００３９】
さらに、専用線多重化装置のデータ位置記憶手段は、その記憶内容を書き替え自在に記憶するので、それぞれの区域毎に配置された端末の位置が変更された場合、またはその増減があった場合にも、必要なデータを有効に多重化することができる。
【図面の簡単な説明】
【図１】
本発明による多重化装置の一実施形態を示すブロック図である。
【図２】
図１の実施形態による多重化装置が適用された縦続多重化方式の配線例を示す図である。
【図３】
図１の実施形態に適用される低速側入力のフレーム例を示す図である。
【図４】
図１の実施形態に適用されるデータメモリマップの一例を示す図である。
【図５】
図１の実施形態に適用される専用線のフレーム例を示す図である。
【図６】
図１の実施形態による多重化装置に対する比較例を示すブロック図である。
【符号の説明】
１０Ａ〜１０Ｈ  端末多重化装置
１２Ａ〜１２Ｈ  伝送線
２０  専用線多重化装置
１００  専用線
２０２  入力変換部
２０４  セレクタ回路
２０８  データメモリ
２０８  出力変換部
２１０  制御部
２３２  データイネーブルメモリ
２３４  データカウント制御回路
２３６  ライトアドレスメモリ
２３８  リードアドレスカウンタ
ＴＥ  端末